(57)【特許請求の範囲】
【請求項１】
トラクタの後部に、トップリンク１１とロアリンク１２・１２とにより成る牽引部１０を構成し、該トップリンク１１の後部を、トップリンクマスト２１の前部に枢支し、該トップリンクマスト２１に取付部材２６を介して、ツールバー２５をトラクタの機体に対して左右方向でかつ着脱可能に装着し、該ツールバー２５上に土壌消毒機の薬液タンク２７と薬液送出ポンプ２８を左右に振り分けて配設し、
前記ロアリンク１２・１２の後部にサポート２３・２３の前部を枢支し、該サポート２３・２３により、機体に対して左右水平方向に配設し、かつ略中央部に前記トップリンクマスト２１の下部を固設した支持杆２２を支持し、該支持杆２２に、側面視略三日月状の鋼板で構成され、下端部にチゼル３４を取り付けたサブソイラ２４を装着し、該サブソイラ２４の後面に薬液ノズル３６を装着したことを特徴とする土壌消毒機。
【請求項２】
請求項１記載の土壌消毒機において、該サブソイラ２４の後面形状に合わせた形状にノズルホルダ３５を構成し、前記薬液ノズル３６を該ノズルホルダ３５に取り付け、該ノズルホルダ３５を取付板３８を介してサブソイラ２４の側面に開口された孔に固定することを特徴とする土壌消毒機。
【発明の詳細な説明】
【０００１】
【発明の属する技術分野】
本発明は、作業機に土壌消毒機を簡単に装着できるようにする技術に関する。
【０００２】
【従来の技術】
従来、トラクタ等の走行車両後方に土壌消毒機を装着する技術は、公知となっている。
例えば、特開平５−１９９８２８号公報に示されているように、走行車両の後部に、トップリンクとロアリンクを介して土壌消毒機を装着していた。該土壌消毒機の構成は、フレームに、薬液ポンプや薬液タンク等の薬液供給部材とサブソイラを配置する構成となっている。この土壌消毒機において、ノズルをサブソイラに固定する場合、取付専用の孔を別途設けたり、一体的に設けていた。
【０００３】
【発明が解決しようとする課題】
しかし、前記土壌消毒機は、サブソイラのみ使用して作業することはなく、また、薬液ポンプと薬液タンクを別の作業機に装着することもなく、専用の土壌消毒機となっており、高価であり、サブソイラや牽引型の作業機を有している場合には、同様の作用を行う作業機を二つ所有することになり、余分な作業機を購入したと感じてしまう。また、保管場所等も別途必要となる。
また、専用機となっていたので、薬液ポンプのみ取り外したり、付け替えたりすることが難しい構成となっていた。
【０００４】
【課題を解決するための手段】
本発明の解決しようとする課題は以上の如くであり、次にこの課題を解決するための手段を説明する。
【０００５】
請求項１においては、トラクタの後部に、トップリンク１１とロアリンク１２・１２とにより成る牽引部１０を構成し、該トップリンク１１の後部を、トップリンクマスト２１の前部に枢支し、該トップリンクマスト２１に取付部材２６を介して、ツールバー２５をトラクタの機体に対して左右方向でかつ着脱可能に装着し、該ツールバー２５上に土壌消毒機の薬液タンク２７と薬液送出ポンプ２８を左右に振り分けて配設し、前記ロアリンク１２・１２の後部にサポート２３・２３の前部を枢支し、該サポート２３・２３により、機体に対して左右水平方向に配設し、かつ略中央部に前記トップリンクマスト２１の下部を固設した支持杆２２を支持し、該支持杆２２に、側面視略三日月状の鋼板で構成され、下端部にチゼル３４を取り付けたサブソイラ２４を装着し、該サブソイラ２４の後面に薬液ノズル３６を装着したものである。
【０００６】
請求項２においては、請求項１記載の土壌消毒機において、該サブソイラ２４の後面形状に合わせた形状にノズルホルダ３５を構成し、前記薬液ノズル３６を該ノズルホルダ３５に取り付け、該ノズルホルダ３５を取付板３８を介してサブソイラ２４の側面に開口された孔に固定するものである。
【０００７】
【発明の実施の形態】
次に、発明の実施の形態を説明する。
図１は作業機を装着したトラクタの平面図、図２は作業機の正面図、図３は作業機の側面図、図４はサブソイラ及びノルズホルダの斜視図である。
【０００８】
まず、作業機２０を牽引する牽引車輌をトラクタとしてその構成を概略説明する。
図１に示すように、走行車輌１の後部に牽引部１０が装着され、該走行車輌１の前部及び後部にはそれぞれ前輪２・２及び後輪３・３が懸架されている。該走行車輌１前部のボンネット４内には、エンジン、バッテリー１９等が搭載され、該ボンネット４後方には操向ハンドル６が配置され、その後方にはオペレータが着座する運転席５が配設されている。
【０００９】
また、該運転席５の両側方のフェンダー７Ｌ・７Ｒには、主変速レバー、ＰＴＯ変速レバー等の各種操作具が配設され、また、該運転席５前方の足元には、フットアクセルペダル、左右ブレーキペダル、主クラッチペダル等が配設されている。
【００１０】
また、前記牽引部１０は、トップリンク１１、ロアリンク１２・１２等より構成され、該トップリンク１１、ロアリンク１２・１２に作業機２０を連結して牽引できるように構成されている。
なお、前記作業機２０の牽引車輌はトラクタに限定することなく、耕耘機等を使用しても良い。
【００１１】
次に、前記作業機２０について、図１及至図３を用いて説明する。
作業機２０は支持杆２２、サブソイラ２４・２４・２４等から構成されている。該作業機２０は、サブソイラ２４・２４・２４を土壌に挿入し、心土層や耕盤層等を破砕するものである。
前記支持杆２２は、断面視矩形状で、機体に対して左右水平方向に配設され、略中央部にトップリンクマスト２１の後部（下部）を固設している。トップリンクマスト２１の前端は、トラクタの牽引部１０のトップリンク１１の後部と連結している。
また、トップリンクマスト２１両側の前記支持杆２２から前下方にサポート２３・２３を突設している。該サポート２３・２３の前部は、前記ロアリンク１２・１２後部に枢支されている。
こうして、トップリンク１１、ロアリンク１２・１２により作業機２０を昇降可能に支持して牽引できる構成としている。
【００１２】
前記支持杆２２にサブソイラ２４・２４・２４が装着される。図３に示すように、該サブソイラ２４は、固定具３２を介して前記支持杆２２に装着している。該固定具３２は、側面視「く」字状の取付部材３２ａと、側面視「く」字状のプレートから後方にプレートを突設した取付部材３２ｂから構成されており、支持杆２２の前後両側に「く」字状部を対向して配置してボルト・ナットで固定している。
また、前記取付部材３２ｂ後部にネジ孔が形成されており、該ネジ孔とサブソイラ２４上部に形成されている取付孔２４ａ・２４ａとをボルト等固定手段３２ｃ・３２ｃで固定している。
このような構成で、サブソイラ２４・２４・２４が、固定具３２・３２・３２を介して支持杆２２に確実に固定され、サブソイラ２４・２４・２４を土壌に挿入し牽引することで耕盤層等を破砕できるようにしている。
【００１３】
次に、土壌消毒機４２について図２及び図３を用いて説明する。
該土壌消毒機４２は薬液供給部材とその支持部材よりなり、支持部材は前記支持杆２２上方に配設される角パイプで構成したツールバー２５と取付部材２６で構成される。取付部材２６は、ツールバー２５の左右中央部より前記トップリンクマスト２１の両側位置から左右幅及び上下長さに合わせてステーを斜め下方に突設し、該ステー先端にプレート４０を横架してボルト等により締付固定して、トップリンクマスト２１を挟持固定するようにし、ツールバー２５を前記支持杆２２と平行となるように配設されている。
【００１４】
こうして、取付部材２６を、トップリンクマスト２１の後上方から挿嵌し、取付部材２６下部にプレート４０を当接させ、取付部材２６とプレート４０とをボルト・ナットで締結する。このように、トップリンクマスト２１に取付部材２６を固定することで、ツールバー２５を作業機２０に装着している。
このように、土壌消毒機４２の薬液供給部材をツールバー２５に装着し、該ツールバー２５を作業機２０に取り付けることで、薬液供給部材を簡単に着脱できるようになり、着脱作業の効率化を図ることができる。
【００１５】
前記ツールバー２５の左右一側（図２における左側）上面には、薬液タンク載置台３０が取付部材３０ａを介して固定され、該取付部材３０ａは側面視逆Ｕ字状に構成してツールバー２５に嵌合してボルトで締付固定できるようにし、左右位置調整も可能としている。該薬液タンク載置台３０には薬液タンク２７が載置され、バンド等で固定できるようにしている。
一方、ツールバー２５の他側（図２における右側）上に薬液供給部材が配置され、該ツールバー２５上に取付ブラケット３９がボルト等により左右位置調整可能に固定され、該取付ブラケット３９は正面視Ｌ字状に構成して、水平面上に薬液送出ポンプ２８・２８・２８とモーター３１を配置し、垂直面に薬液流出確認計２９・２９・２９が配置される。
なお、本実施例ではサブソイラの数に合わせて３組配置しているが、それ以上でも以下でも配置することが可能であり、その数は限定するものではない。該薬液送出ポンプ２８・２８・２８には、動力源となるモーター３１が接続され、モーター３１から突出しているクランク軸上に並設されている。該モーター３１で、３個の薬液送出ポンプ２８・２８・２８を駆動しており、該モーター３１の操作や回転数の調整等は運転席５近傍に配設した制御パネルにより行うのである。
【００１６】
そして、前記薬液送出ポンプ２８・２８・２８と薬液タンク２７とは吸入ホース５１・５１・５１により連通され、また、該薬液送出ポンプ２８・２８・２８と後述するチェックバルブ付ノズル３６・３６・３６とは吐出ホース５２・５２・５２により連通されている。該吐出ホース５２・５２・５２の途中には、薬液流出確認計２９・２９・２９が介設しており、薬液の流れの確認が行える。
【００１７】
このように、ツールバー２５の一側に薬液タンク２７、他側に薬液送出ポンプ２８・２８・２８と薬液流出確認計２９・２９・２９等の薬液供給部材を左右バランスよく振り分けて配置しているので、作業機２０全体のバランスを良くする事ができ、安定した作業が行える。
なお、薬液タンク、薬液送出ポンプ等の薬液供給部材の配置は、バランスが取れる配置であれは、どのような配置でもよく、限定されるものではない。
【００１８】
次に、サブソイラ２４について、図３及び図４を用いて説明する。
前記サブソイラ２４は側面視略三日月状の鋼板で構成され、下端部に、チゼル３４を設け、該チゼル３４の後方には、ウィング４１が取り付けられている。サブソイラ２４の後面には、チェックバルブ付ノズル３６を固定するためのノズルホルダ３５が配設されている。該ノズルホルダ３５は、ホルダ部３５ａと取付部３５ｂとから構成されている。該取付部３５ｂは、サブソイラ２４後面に沿った円弧形状のプレートで、該取付部３５ｂの幅は、サブソイラ２４後面の幅と大体同じ幅となっている。該取付部３５ｂ後面には、吐出ホース５２やチェックバルブ付ノズル３６を嵌合固定するためのパイプ状のホルダ部３５ａ・３５ａ・・・が溶接等によって一体的に設けられている。
【００１９】
また、前記ノズルホルダ３５の上部と下部には、サブソイラ２４への取付用部材３５ｃ・３５ｃが左右方向に配設されている。該取付用部材３５ｃは、筒状に形成されており、内周面にネジが挿通できる構成としている。
一方、サブソイラ２４には、サブソイラ２４の補強部材や土の付着を防止するためのプラスチック板やウィング４１等を取り付けるための孔２４ａ、及び、前記固定具３２に取り付けるための取付孔２４ａが、複数所定位置に開口されている。
【００２０】
前記ノズルホルダ３５は、前記サブソイラ２４に開口した取付孔２４ａ・２４ａを利用して取付板３７・３８を介して装着されている。該取付板３８は、三角形状のプレートで、上部に二箇所、下部に一箇所、ボルトを挿通する孔が形成されている。
二枚の取付板３８・３８の上部で、サブソイラ２４を挟み込み、取付板３８・３８下部でノズルホルダ３５の取付用部材３５ｃを挟み込み、ボルト・ナットで締結し、サブソイラ２４にノズルホルダ３５下部を固定する。
【００２１】
また、サブソイラ２４にウィング４１を装着する場合は、該取付板３８・３８上部で、サブソイラ２４を挟み込み、更にウィング４１・４１で取付板３８を挟み、取付板３８・３８下部でノズルホルダ３５の取付用部材３５ｃを挟み込み、ボルト・ナットで供締め締結し、サブソイラ２４にノズルホルダ下部を固定する。
【００２２】
一方、ノズルホルダ３５上部も、下部と同様に取付板３７を介して、サブソイラ２４に固定する。該取付板３７は、ボルトを挿通する孔が二箇所形成されており、一方は、ノズルホルダ３５の位置調節、及び、取付孔２４ａの位置に合わせられるように長孔形状としている。
二枚の取付板３７・３７の一側でサブソイラ２４を挟み込み、他側でノズルホルダ３５の取付用部材３５ｃを挟み込み、ボルト・ナットで締結し、サブソイラ２４にノズルホルダ３５上部を固定する。但し、前記取付板３７・３８の形状は限定するものではなく、ノズルホルダ３５をサブソイラ２４の後面に取付孔２４ａによって確実に固定できる位置に合わせる形状としており限定するもではない。
【００２３】
そして、前記ノズルホルダ３５のホルダ部３５ａ・・・に、吐出ホース５２及びチェックバルブ付ノズル３６を挿嵌し、チェックバルブ付ノズル３６から、薬液を土壌に注入する。
本実施例では、サブソイラ２４にノズルホルダ３５を装着した後に、吐出ホース５２及びチェックバルブ付ノズル３６を取り付けたが、ノズルホルダ３５に吐出ホース５２及びチェックバルブ付ノズル３６を取り付けた後、サブソイラ２４にノズルホルダ３５を装着することもできる。
【００２４】
このように構成とすることで、サブソイラ２４に形成されている孔を利用して、ノズルホルダ３５を取り付けることができ、サブソイラ２４にノズルホルダ３５取付用孔を別途形成する必要がなく、サブソイラ２４の加工が簡単になり、低コスト化を図ることができる。
【００２５】
【発明の効果】
本発明は、以上のように構成したので、以下に示すような効果を奏する。
【００２６】
トラクタの後部に、トップリンク１１とロアリンク１２・１２とにより成る牽引部１０を構成し、該トップリンク１１の後部を、トップリンクマスト２１の前部に枢支し、該トップリンクマスト２１に取付部材２６を介して、ツールバー２５をトラクタの機体に対して左右方向でかつ着脱可能に装着し、該ツールバー２５上に土壌消毒機の薬液タンク２７と薬液送出ポンプ２８を左右に振り分けて配設し、前記ロアリンク１２・１２の後部にサポート２３・２３の前部を枢支し、該サポート２３・２３により、機体に対して左右水平方向に配設し、かつ略中央部に前記トップリンクマスト２１の下部を固設した支持杆２２を支持し、該支持杆２２に、側面視略三日月状の鋼板で構成され、下端部にチゼル３４を取り付けたサブソイラ２４を装着し、該サブソイラ２４の後面に薬液ノズル３６を装着したので、次のような効果を奏するものである。
即ち、薬液タンクや薬液送出ポンプ等よりなる薬液供給部材を、ツールバーに取り付け、該ツールバーに取付部材を設け、該取付部材を作業機のマスト部に着脱可能に構成したので、土壌消毒機を作業機に対して容易に着脱することができ、付替えが容易に行え、メンテナンス等も容易に行えるようになった。また、土壌消毒専用機よりも安価に提供できるようになった。
【００２７】
また、前記ツールバーを機体に対して左右方向に配設し、該ツールバー上に前記薬液供給部材を左右に振り分けて配設するので、作業機全体の左右重量バランスを良くする事ができ、安定した作業が行える。
【００２８】
請求項２においては、該サブソイラ２４の後面形状に合わせた形状にノズルホルダ３５を構成し、前記薬液ノズル３６を該ノズルホルダ３５に取り付け、該ノズルホルダ３５を取付板３８を介してサブソイラ２４の側面に開口された孔に固定するので、別途ノズルホルダ取付用の孔をサブソイラに設ける必要がなく、サブソイラに開口されている孔を利用してノズルホルダを取り付けることが可能となり、組み立てが簡単になり、低コスト化を図ることができる。
【図面の簡単な説明】
【図１】  作業機を装着したトラクタの平面図。
【図２】  作業機の正面図。
【図３】  作業機の側面図。
【図４】  サブソイラ及びノルズホルダの斜視図。
【符号の説明】
２０  作業機
２１  トップリンクマスト（マスト部）
２４  サブソイラ
２５  ツールバー（パイプ状部材）
２７  薬液タンク（薬液供給部材）
２８  薬液送出ポンプ（薬液供給部材）
２９  薬液流出確認計（薬液供給部材）
３５  ノズルホルダ
３６  ノズル
【図１】
0003803915.tif 000002
【図２】
0003803915.tif 000003
【図３】
0003803915.tif 000004
【図４】
0003803915.tif 000005